(57)【要約】【課題】ユニークユーザ数及びユニークブラウザ数を調査することを可能とするウェブページ閲覧システム及びウェブページ閲覧方法を提供する。【解決手段】ウェブページ閲覧システム１００は、端末ウェブブラウザ１１を備えるユーザ端末１０とネットワークを介して接続されたウェブブラウザサーバ２０を備える。は、ネットワークウェブブラウザ２１を備える。端末ウェブブラウザ１１は、ユーザ識別情報及び端末ウェブブラウザ識別情報をネットワークウェブブラウザ２１に送信する。ネットワークウェブブラウザ２１は、端末ウェブブラウザ１１にネットワークウェブブラウザコンポーネントが組み込まれるように、ネットワークウェブブラウザコンポーネントに組み込まれたウェブページ情報を前記ユーザ端末１０に送信する。【選択図】図２
2013190905.tif 000002
【特許請求の範囲】
【請求項１】
ウェブページ情報を閲覧する端末ウェブブラウザを備えるユーザ端末とネットワークを介して接続されたウェブブラウザサーバを備えるウェブページ閲覧システムであって、
前記ウェブブラウザサーバは、前記ウェブページ情報を閲覧するネットワークウェブブラウザコンポーネントを提供するネットワークウェブブラウザを備えており、
前記端末ウェブブラウザは、前記ユーザ端末を利用するユーザを識別するユーザ識別情報及び前記端末ウェブブラウザを識別する端末ウェブブラウザ識別情報を前記ネットワークウェブブラウザに送信し、
前記ネットワークウェブブラウザは、前記端末ウェブブラウザに前記ネットワークウェブブラウザコンポーネントが組み込まれるように、前記ネットワークウェブブラウザコンポーネントに組み込まれた前記ウェブページ情報を前記ユーザ端末に送信することを特徴とするウェブページ閲覧システム。
【請求項２】
前記ネットワークウェブブラウザは、前記ウェブブラウザサーバのユーザエージェントを前記ユーザ端末のユーザエージェントに書き換えて、前記ウェブページ情報を提供するウェブサーバにアクセスすることを特徴する請求項１に記載のウェブページ閲覧システム。
【請求項３】
前記ネットワークウェブブラウザは、前記ネットワークウェブブラウザコンポーネントとして、複数のネットワークウェブブラウザコンポーネントを有しており、
前記ネットワークウェブブラウザは、前記複数のネットワークウェブブラウザコンポーネントのうち、前記端末ウェブブラウザと同様にウェブページ情報を組み込むネットワークウェブブラウザコンポーネントが組み込まれるように、前記ネットワークウェブブラウザコンポーネントに組み込まれた前記ウェブページ情報を前記ユーザ端末に送信することを特徴とする請求項１に記載のウェブページ閲覧システム。
【請求項４】
前記ネットワークウェブブラウザコンポーネントに組み込まれた前記ウェブページ情報には、前記ウェブページ情報を識別するウェブページ識別情報を調査する調査タグが埋め込まれることを特徴とする請求項１に記載のウェブページ閲覧システム。
【請求項５】
前記ネットワークウェブブラウザコンポーネントに組み込まれた前記ウェブページ情報が前記ユーザ端末上で表示されると、前記ウェブページ情報を識別するウェブページ識別情報を調査する収集プログラムが稼働することを特徴とする請求項１に記載のウェブページ閲覧システム。
【請求項６】
ウェブページ情報を閲覧する端末ウェブブラウザを備えるユーザ端末とネットワークを介して接続されたウェブブラウザサーバを備えるウェブページ閲覧システムにおいて、前記ウェブページ情報を閲覧するウェブページ閲覧方法であって、
前記ウェブブラウザサーバは、前記ウェブページ情報を閲覧するネットワークウェブブラウザコンポーネントを提供するネットワークウェブブラウザを備えており、
前記端末ウェブブラウザは、前記ユーザ端末を利用するユーザを識別するユーザ識別情報及び前記端末ウェブブラウザを識別する端末ウェブブラウザ識別情報を前記ネットワークウェブブラウザに送信するステップと、
前記ネットワークウェブブラウザは、前記端末ウェブブラウザに前記ネットワークウェブブラウザコンポーネントが組み込まれるように、前記ネットワークウェブブラウザコンポーネントに組み込まれた前記ウェブページ情報を前記ユーザ端末に送信するステップとを含むことを特徴とするウェブページ閲覧方法。
【発明の詳細な説明】
【技術分野】
【０００１】
本発明は、ユーザ端末に対してウェブページの閲覧機能を提供するウェブページ閲覧システム及びウェブページ閲覧方法に関する。
【背景技術】
【０００２】
従来、ウェブページ情報の視聴を検出する様々な技術が提案されている。
【０００３】
例えば、ユーザがアクセスしようとするウェブページ情報に測定タグを埋め込むことによって、測定タグの利用によってブラウザ識別情報及びウェブページ識別情報を対応付ける情報を抽出する技術（以下、第１技術）が考えられる。
【０００４】
なお、ブラウザ識別情報は、ユーザ端末に設けられるウェブブラウザを識別する情報である。ウェブページ識別情報は、ユーザがアクセスしようとするウェブページ情報を識別する情報である。
【０００５】
或いは、ユーザ端末に専用ソフトをインストールすることによって、専用ソフトによって、ユーザ識別情報及びウェブページ識別情報を対応付ける情報を抽出する技術（以下、第２技術）が考えられる。
【０００６】
なお、ユーザ識別情報は、ユーザ端末を利用するユーザを識別する情報である。また、専用ソフトは、ユーザ端末を利用するユーザ毎にユーザ端末にインストールされる。
【０００７】
或いは、ユーザ端末がプロキシサーバにアクセスする際に、プロキシサーバにおいて、ユーザ識別情報及びウェブページ識別情報を対応付ける情報を抽出する技術（以下、第３技術）が考えられる（例えば、特許文献１）。
【先行技術文献】
【特許文献】
【０００８】
【特許文献１】特開２０１１−５３８１２号公報
【発明の概要】
【発明が解決しようとする課題】
【０００９】
しかしながら、上述した第１技術では、ユーザ端末を利用するユーザを識別することができないため、ユーザ端末を利用するユーザの数を調査することができない。すなわち、ユニークユーザ数が不明である。
【００１０】
一方で、上述した第２技術及び第３技術では、ユーザ端末を識別することができないため、ユーザ端末に設けられるウェブブラウザの数を調査することができない。すなわち、ユニークブラウザ数が不明である。
【００１１】
そこで、本発明は、上述した課題を解決するためになされたものであり、ユニークユーザ数及びユニークブラウザ数を調査することを可能とするウェブページ閲覧システム及びウェブページ閲覧方法を提供することを目的とする。
【課題を解決するための手段】
【００１２】
第１の特徴に係るウェブページ閲覧システムは、ウェブページ情報を閲覧する端末ウェブブラウザを備えるユーザ端末とネットワークを介して接続されたウェブブラウザサーバを備える。前記ウェブブラウザサーバは、前記ウェブページ情報を閲覧するネットワークウェブブラウザコンポーネントを提供するネットワークウェブブラウザを備える。前記端末ウェブブラウザは、前記ユーザ端末を利用するユーザを識別するユーザ識別情報及び前記端末ウェブブラウザを識別する端末ウェブブラウザ識別情報を前記ネットワークウェブブラウザに送信する。前記ネットワークウェブブラウザは、前記ユーザ識別情報に基づいて、前記ユーザ端末を利用するユーザを認証する。前記ネットワークウェブブラウザは、前記端末ウェブブラウザに前記ネットワークウェブブラウザコンポーネントが組み込まれるように、前記ネットワークウェブブラウザコンポーネントに組み込まれた前記ウェブページ情報を前記ユーザ端末に送信する。
【００１３】
第１の特徴において、前記ネットワークウェブブラウザは、前記ウェブブラウザサーバのユーザエージェントを前記ユーザ端末のユーザエージェントに書き換えて、前記ウェブページ情報を提供するウェブサーバにアクセスする。
【００１４】
第１の特徴において、前記ネットワークウェブブラウザは、前記ネットワークウェブブラウザコンポーネントとして、複数のネットワークウェブブラウザコンポーネントを提供する。前記ネットワークウェブブラウザは、前記複数のネットワークウェブブラウザコンポーネントのうち、前記端末ウェブブラウザと同様に前記ウェブページ情報を組み込むネットワークウェブブラウザコンポーネントが組み込まれるように、前記ネットワークウェブブラウザコンポーネントに組み込まれた前記ウェブページ情報を前記ユーザ端末に送信する。
【００１５】
第１の特徴において、前記ネットワークウェブブラウザコンポーネントに組み込まれた前記ウェブページ情報には、前記ウェブページ情報を識別するウェブページ識別情報を調査する測定タグが埋め込まれる。
【００１６】
第１の特徴において、前記ネットワークウェブブラウザコンポーネントに組み込まれた前記ウェブページ情報が前記ユーザ端末上に表示されると、前記ウェブページ情報を識別するウェブページ識別情報を調査する収集プログラムが稼働する。
【００１７】
第２の特徴に係るウェブページ閲覧方法は、ウェブページ閲覧システムにおいて、前記ウェブページ情報を閲覧する方法である。ウェブページ閲覧システムは、ウェブページ情報を閲覧する端末ウェブブラウザを備えるユーザ端末とネットワークを介して接続されたウェブブラウザサーバを備える。前記ウェブブラウザサーバは、前記ウェブページ情報を閲覧するネットワークウェブブラウザコンポーネントを提供するネットワークウェブブラウザを備える。ウェブページ閲覧方法は、前記端末ウェブブラウザは、前記ユーザ端末を利用するユーザを識別するユーザ識別情報及び前記端末ウェブブラウザを識別する端末ウェブブラウザ識別情報を前記ネットワークウェブブラウザに送信するステップと、前記ネットワークウェブブラウザは、前記ユーザ識別情報に基づいて、前記ユーザ端末を利用するユーザを認証するステップと、前記ネットワークウェブブラウザは、前記端末ウェブブラウザに前記ネットワークウェブブラウザコンポーネントが組み込まれるように、前記ネットワークウェブブラウザコンポーネントに組み込まれた前記ウェブページ情報を前記ユーザ端末に送信するステップとを含む。
【発明の効果】
【００１８】
本発明によれば、ユニークユーザ数及びユニークブラウザ数を調査することを可能とするウェブページ閲覧システム及びウェブページ閲覧方法を提供することができる。
【図面の簡単な説明】
【００１９】
【図１】図１は、第１実施形態に係るウェブページ閲覧システム１００の概略を示す図である。
【図２】図２は、第１実施形態に係るウェブページ閲覧システム１００の詳細を示す図である。
【図３】図３は、第１実施形態に係るユーザ端末１０に表示される画像を示す図である。
【発明を実施するための形態】
【００２０】
以下において、本発明の実施形態に係るウェブページ閲覧システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係るウェブページ閲覧システムは、ウェブページ情報を閲覧する端末ウェブブラウザを備えるユーザ端末とネットワークを介して接続されたウェブブラウザサーバを備える。前記ウェブブラウザサーバは、前記ウェブページ情報を閲覧するネットワークウェブブラウザコンポーネントを提供するネットワークウェブブラウザを備える。前記端末ウェブブラウザは、前記ユーザ端末を利用するユーザを識別するユーザ識別情報及び前記端末ウェブブラウザを識別する端末ウェブブラウザ識別情報を前記ネットワークウェブブラウザに送信する。前記ネットワークウェブブラウザは、前記ユーザ識別情報に基づいて、前記ユーザ端末を利用するユーザを認証する。前記ネットワークウェブブラウザは、前記端末ウェブブラウザに前記ネットワークウェブブラウザコンポーネントが組み込まれるように、前記ネットワークウェブブラウザコンポーネントに組み込まれた前記ウェブページ情報を前記ユーザ端末に送信する。
【００２３】
実施形態では、端末ウェブブラウザに組み込まれるネットワークウェブブラウザを利用してウェブページ情報を閲覧する仕組みによって、ネットワークウェブブラウザがユーザ識別情報及び端末ウェブブラウザ識別情報を取得するため、ユニークユーザ数及びユニークブラウザ数を調査することが可能である。
【００２４】
［第１実施形態］
（ウェブページ閲覧システムの概略）
以下において、第１実施形態に係るウェブページ閲覧システムの概略について説明する。図１は、第１実施形態に係るウェブページ閲覧システム１００を示す図である。
【００２５】
図１に示すように、ウェブページ閲覧システム１００は、ユーザ端末１０と、ウェブブラウザサーバ２０と、ウェブサーバ３０とを有する。ユーザ端末１０、ウェブブラウザサーバ２０及びウェブサーバ３０は、ネットワークＸを介して互いに接続されている。なお、ネットワークＸは、例えば、インターネットである。
【００２６】
ユーザ端末１０は、パーソナルコンピュータ、携帯電話、テレビ、カーナビゲーションなどの端末である。ユーザ端末１０は、後述するように、ウェブページ情報を閲覧する端末ウェブブラウザ１１を備える（図２を参照）。
【００２７】
ウェブブラウザサーバ２０は、ウェブページ情報を閲覧するネットワークウェブブラウザコンポーネントを提供するネットワークウェブブラウザ２１を備える（図２を参照）。
【００２８】
ネットワークウェブブラウザコンポーネントは、端末ウェブブラウザ１１に組み込まれる。すなわち、ネットワークウェブブラウザコンポーネントは、端末ウェブブラウザ１１上で動作するコンポーネントである。
【００２９】
（ウェブページ閲覧システムの詳細）
以下において、第１実施形態に係るウェブページ閲覧システムの詳細について説明する。図２は、第１実施形態に係るウェブページ閲覧システム１００の詳細を示す図である。
【００３０】
第１に、端末ウェブブラウザ１１は、ログイン情報をネットワークウェブブラウザ２１に送信する。ログイン情報は、少なくとも、ユーザ端末１０を利用するユーザを識別するユーザ識別情報及び端末ウェブブラウザ１１を識別する端末ウェブブラウザ識別情報を含む。また、ログイン情報は、これらに加えて、パスワードなどを含んでもよい。
【００３１】
端末ウェブブラウザ識別情報は、例えば、端末ウェブブラウザ１１がサーバにアクセスする際に、端末ウェブブラウザ１１を一意に識別するクッキーＩＤである。或いは、端末ウェブブラウザ識別情報は、ユーザ端末１０を一意に特定する端末識別情報であってもよい。なお、ユーザ端末１０が１種類の端末ウェブブラウザ１１を備える場合には、端末ウェブブラウザ識別情報は、端末識別情報であると考えてもよい。
【００３２】
第２に、ネットワークウェブブラウザ２１は、ログイン情報に含まれるユーザ識別情報を少なくとも用いて、ユーザ端末１０を認証する。ネットワークウェブブラウザ２１は、ログイン情報にパスワードが含まれる場合には、ユーザ識別情報及びパスワードを用いて、ユーザ端末１０を認証する。
【００３３】
なお、ユーザ端末１０が認証された場合には、引き続き、以下の処理が行われることに留意すべきである。
【００３４】
第３に、ネットワークウェブブラウザ２１は、ウェブサーバ３０にアクセスして、ウェブページ情報を要求するウェブページ情報要求をウェブサーバ３０に送信する。
【００３５】
ここで、ネットワークウェブブラウザ２１は、ウェブブラウザサーバ２０のユーザエージェントをユーザ端末１０のユーザエージェントに書き換えて、ウェブサーバ３０にアクセスすることが好ましい。
【００３６】
なお、ユーザエージェントは、ウェブブラウザやオペレーティングシステムなどのように、ウェブサーバ３０にアクセスするための構成（ソフトウェアやハードウェア）である。
【００３７】
第４に、ウェブサーバ３０は、ウェブページ情報要求に応じて、ウェブページ情報をネットワークウェブブラウザ２１に送信する。
【００３８】
第５に、ネットワークウェブブラウザ２１は、端末ウェブブラウザ１１にネットワークウェブブラウザコンポーネントが組み込まれるように、ネットワークウェブブラウザコンポーネントに組み込まれたウェブページ情報をユーザ端末１０に送信する。
【００３９】
第６に、ユーザ端末１０は、図３に示すように、端末ウェブブラウザ１１にネットワークウェブブラウザコンポーネントが組み込まれた形式で、ネットワークウェブブラウザコンポーネントに組み込まれたウェブページ情報を表示する。
【００４０】
（作用及び効果）
第１実施形態によれば、端末ウェブブラウザ１１に組み込まれるネットワークウェブブラウザコンポーネントを利用してウェブページ情報を閲覧する仕組みによって、ネットワークウェブブラウザ２１がユーザ識別情報及び端末ウェブブラウザ識別情報（例えば、クッキーＩＤ）を取得するため、ユニークユーザ数及びユニークブラウザ数を調査することが可能である。
【００４１】
詳細には、ユーザ識別情報をカウントすることによって、ウェブページ情報を閲覧するユーザの数を調査することが可能である。また、端末ウェブブラウザ識別情報をカウントすることによって、ウェブページ情報の閲覧に用いられたウェブブラウザの数を調査することが可能である。
【００４２】
［変更例１］
以下において、第１実施形態の変更例１について、図面を参照しながら説明する。以下においては、第１実施形態に対する相違点について主として説明する。
【００４３】
詳細には、変更例１では、ネットワークウェブブラウザ２１は、前記ネットワークウェブブラウザコンポーネントとして、複数のネットワークウェブブラウザコンポーネントを提供する。このようなケースにおいて、ネットワークウェブブラウザ２１は、複数のネットワークウェブブラウザコンポーネントのうち、端末ウェブブラウザ１１と同様にウェブページ情報を組み込むネットワークウェブブラウザコンポーネントが組み込まれるように、ネットワークウェブブラウザコンポーネントに組み込まれたウェブページ情報をユーザ端末１０に送信する。
【００４４】
［変更例２］
以下において、第１実施形態の変更例２について、図面を参照しながら説明する。以下においては、第１実施形態に対する相違点について主として説明する。
【００４５】
詳細には、変更例２では、ネットワークウェブブラウザコンポーネントに組み込まれたウェブページ情報には、ウェブページ情報を識別するウェブページ識別情報を調査する測定タグが埋め込まれる（いわゆる測定タグ方式）。
【００４６】
具体的には、端末ウェブブラウザ１１は、ウェブページ情報に埋め込まれた測定タグを検出すると、調査サーバに対して、所定画像（１×１の透明なＧＩＦ）を要求する。続いて、端末ウェブブラウザ１１は、調査サーバから取得する所定画像をウェブページ情報に埋め込む。言い換えると、端末ウェブブラウザ１１は、調査サーバから取得する所定画像を表示する。端末ウェブブラウザ１１は、所定画像が埋め込まれると、ウェブページ識別情報とともに、ユーザ識別情報及び端末ウェブブラウザ識別情報（例えば、クッキーＩＤ）を調査サーバに送信する。
【００４７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００４８】
上述した実施形態では、測定タグを用いて、ユニークユーザ数及びユニークブラウザ数を調査するケースについて例示したが、ユニークユーザ数及びユニークブラウザ数の調査方法は、これに限定されるものではない。例えば、ユニークユーザ数及びユニークブラウザ数は、ウェブページ情報を識別するウェブページ識別情報を調査する収集プログラムによって実行されるソフトウェアによって調査されてもよい。例えば、ネットワークウェブブラウザコンポーネントに組み込まれたウェブページ情報がユーザ端末上に表示されると、収集プログラムが稼働する。或いは、ユニークユーザ数及びユニークブラウザ数は、ツールバーに埋め込まれるソフトウェアによって調査されてもよい。
【符号の説明】
【００４９】
１０…ユーザ端末、１１…端末ウェブブラウザ、２０…ウェブブラウザサーバ、２１…ネットワークウェブブラウザ、３０…ウェブサーバ、１００…ウェブページ閲覧システム
【図１】
2013190905.tif 000003
【図２】
2013190905.tif 000004
【図３】
2013190905.tif 000005